(57)【特許請求の範囲】
【請求項１】
定電圧回路の入力電流を計測する電流計測手段と、定電圧回路の入力電圧を計測する電圧計測手段とを有する住宅情報盤であって、
前記定電圧回路は、
映像回路を有する消費電力の大きい第１の内部回路に接続される第１のスイッチング電源回路と、
前記第１の内部回路よりも消費電力が小さい、通話回路を有する第２の内部回路と接続され、前記第１のスイッチング電源回路よりも小さな電力容量が設定された第２のスイッチング電源回路とを備え、
前記第１のスイッチング電源回路の入力電圧と制限電流との関係が、記憶手段により入力電圧毎に細かく区切って格納され、
前記電圧計測手段により計測された入力電圧に対応した制限電流を、前記記憶手段に格納された入力電圧と制限電流との関係から求め、当該制限電流と前記電流計測手段により計測された入力電流とを対比して、前記入力電流≧当該制限電流であるときには、前記第１のスイッチング電源回路にオフ制御信号を出力して第１のスイッチング電源回路の駆動を停止させることを特徴とする住宅情報盤。
【請求項２】
前記第１のスイッチング電源回路は、前記映像回路が駆動される状態のときにのみ駆動電圧を供給し、
前記第２のスイッチング電源回路は、前記通話回路および前記第１の内部回路に設けたマイクロプロセッサに、定常的に駆動電圧を供給する
ことを特徴とする請求項1記載の住宅情報盤。
【発明の詳細な説明】
【技術分野】
【０００１】
本発明は、定電圧回路の入力電流を計測する電流計測手段と、定電圧回路の入力電圧を計測する電圧計測手段とを有する住宅情報盤に関する。
【背景技術】
【０００２】
従来の直流電源回路においては、電流制限抵抗を定電圧回路の一次側に挿入しているものがあるが（例えば特許文献１）、これは次の理由によるものである。
（ａ）２次側に挿入すると出力電圧が低くなる、
（ｂ）１次側よりも２次側に電流が多く流れるので、電力損失が大きくなる、
ということを考慮したことによるものである。
【特許文献１】特開平１１−１９６５６８号公報
【発明の開示】
【発明が解決しようとする課題】
【０００３】
直流電源回路において、その定電圧回路の１次側は、２次側の電流が一定であっても入力電圧の変動により電流値の変動が大きい（１次側と２次側とは電力一定であるため）ので、制限電流値を決めて単純に制限をかけても、出力のバラツキが大きくなってしまうという問題点がある。このような問題点に対する対策として、１次側の電流の制限をあきらめて２次側にヒューズを入れる、１次側でラフに電流制限をかけるという方法が考えられるが、何れの方法も出力のバラツキが大きくなってしまうという問題点がある。
【０００４】
本発明は、このような問題点を解決するためになされたものであり、直流電源回路の出力のバラツキを少なくすることを可能にした電流制限回路を備えた住宅情報盤を提供することを目的とする。
【課題を解決するための手段】
【０００５】
本発明に係る住宅情報盤は、定電圧回路の入力電流を計測する電流計測手段と、定電圧回路の入力電圧を計測する電圧計測手段とを有する住宅情報盤であって、前記定電圧回路は、映像回路を有する消費電力の大きい第１の内部回路に接続される第１のスイッチング電源回路と、前記第１の内部回路よりも消費電力が小さい、通話回路を有する第２の内部回路と接続され、前記第１のスイッチング電源回路よりも小さな電力容量が設定された第２のスイッチング電源回路とを備え、前記第１のスイッチング電源回路の入力電圧と制限電流との関係が、記憶手段により入力電圧毎に細かく区切って格納され、前記電圧計測手段により計測された入力電圧に対応した制限電流を、前記記憶手段に格納された入力電圧と制限電流との関係から求め、当該制限電流と前記電流計測手段により計測された入力電流とを対比して、前記入力電流≧当該制限電流であるときには、前記第１のスイッチング電源回路にオフ制御信号を出力して第１のスイッチング電源回路の駆動を停止させる。
【０００６】
本発明に係る住宅情報盤において、前記第１のスイッチング電源回路は、前記映像回路が駆動される状態のときにのみ駆動電圧を供給し、前記第２のスイッチング電源回路は、前記通話回路および前記第１の内部回路に設けたマイクロプロセッサに、定常的に駆動電圧を供給する。
【発明の効果】
【０００７】
本発明によれば、入力電圧に対応した制限電流（例えば入力電圧が大になると制限電流を小にする）に基づいて定電圧回路を制御するようにしたので、出力（二次側電流）のバラツキが大きくなることが避けられる。また、入力電流が制限電流以上であるときには、オフ制御信号を出力して定電圧回路の駆動を停止させるので、内部回路へ過電流が流れるのを防止できる。
【発明を実施するための最良の形態】
【０００８】
実施形態１．
図１は本発明の実施形態１に係る電流制限回路を内蔵した直流電源装置及びこの直流電源装置を内蔵したインターフォン又は住宅情報盤の一部の構成を示したブロック図である。図１において、トランス１０の１次側には交流電源（１００Ｖ）に接続されており、２次側は整流回路１１に接続されている。整流回路１１は４個のダイオードＤ１〜Ｄ４から構成されており、トランス１０で降圧された交流電圧は全波整流されると、インダクタンスＬ及びコンデンサＣからなるフィルタ１２に入力する。フィルタ１２で平滑された直流電圧はスイッチング電源回路１３，１４にそれぞれ入力する。スイッチング電源回路１３はスイッチング電源回路１４に対して相対的に大きな電力容量が設定されており、その１次側には制限抵抗Ｒ１が挿入されている。制限抵抗Ｒ１の両端は分圧回路１５に接続されており、制限抵抗Ｒ１のスイッチング電源回路１３側の電位Ｖi1は分圧回路１５の抵抗Ｒ２と抵抗Ｒ３とにより分圧される。制限抵抗Ｒ１のフィルタ１２側の電位Ｖi2は分圧回路１５の抵抗Ｒ４と抵抗Ｒ５とにより分圧される。なお、分圧回路１５における分圧比は、それぞれ同じとすれば、分圧された電圧がそれぞれ電圧Ｖi1，Ｖi2を反映する値となる。
【０００９】
スイッチング電源回路１３の出力側には内部回路２０が接続されている。この内部回路２０には例えばマイクロプロセッサ（ＭＰＵ）２１、映像回路２２、ＬＣＤパネル２３等が内蔵されており、比較的消費電力が大きい回路が内蔵されており、映像回路２２及びＬＣＤパネル２３にはスイッチング電源回路１３の出力電圧が駆動電圧として供給される。なお、映像回路２２及びＬＣＤパネル２３は消費電力が比較的大きいので、スイッチング電源回路１３はそれらが駆動される状態のときにのみ駆動電圧を供給する。但し、マイクロプロセッサ（ＭＰＵ）２１に対してはその駆動電圧がスイッチング電源回路１４から定常的に供給されている。更に、このマイクロプロセッサ（ＭＰＵ）２１には分圧回路１５の出力、即ち、制限抵抗Ｒ１の両端電位Ｖi1，Ｖi2が分圧されて供給されている。また、このマイクロプロセッサ（ＭＰＵ）２１に内蔵されたメモリ２１ａ（本発明の記憶手段に相当する）には図２のテーブルを含めて各種のデータが格納されており、後述のようにスイッチング電源回路１３を制御する。なお、スイッチング電源回路１３は本発明の定電圧回路に相当し、また、マイクロプロセッサ（ＭＰＵ）２１は、後述するように、スイッチング電源回路１３の入力電流を抵抗Ｒ１の両端の電圧降下（Ｖi2−Ｖi1）に基づいて求めており、抵抗Ｒ１及び分圧回路１５とともに本発明の入力電流計測手段を構成し、また、分圧回路１５を介して入力電圧を計測しており、分圧回路１５とともに本発明の入力電圧計測手段を構成している。更に、マイクロプロセッサ（ＭＰＵ）２１は、後述するように、計測された入力電圧に対応した制限電流を、メモリ２１ａに格納された入力電圧と制限電流との関係から求め、入力電流と制限電流とを対比して入力電流≧制限電流であるときにはスイッチング電源回路１３にオフ制御信号を出力して、定電圧回路の駆動を停止させており、本発明の制御手段に相当する。
【００１０】
また、スイッチング電源回路１４の出力側には内部回路３０が接続されている。この内部回路３０は例えばマイクロプロセッサ（ＭＰＵ）３１、音声（通話）回路３２、マイクロフォン３３、スピーカ３４等が内蔵されており、比較的消費電力が小さい回路が内蔵されており、マイクロプロセッサ（ＭＰＵ）３１、音声回路３２、マイクロフォン３３、スピーカ３４にはスイッチング電源回路１４の出力電圧が駆動電圧として定常的に供給される。マイクロプロセッサ（ＭＰＵ）３１には例えば火災が発生した際火災等の検知回路４１からの火災信号等を受信すると、例えば音声回路３２を駆動してスピーカ３４からメッセージを発して火災等が発生したことを警告するとともに、外部へ火災信号等を移報するための移報回路４２に火災信号等を送信する。更に、マイクロプロセッサ（ＭＰＵ）３１は、集合玄関等からの呼び出し信号を受信すると、集合玄関における映像（例えば訪問者の映像を取り込んでＬＣＤパネル２３に表示させるために、マイクロプロセッサ（ＭＰＵ）２１に呼び出し信号を転送し、マイクロプロセッサ（ＭＰＵ）２１によりスイッチング電源回路１３を駆動状態にさせるようにする。
【００１１】
図２は入力電圧の区分と制限電流との関係を示す情報としてのテーブルであり、本発明の記憶手段に相当するメモリ２１ａに格納される。このテーブルには、所定の電圧ずつ区分された入力電圧と、その区分された電圧に対する制限電流とが関係づけられて格納されている。つまり入力電圧に応じた制限電流を予め設定しておいて、入力電圧の変動に対応できるようにしてある。即ち、電力が一定になるように、入力電圧が高くなるに従って制限電流が小さくなるように設定してある。
【００１２】
図３は図１の電流制限回路の動作過程を示したフローチャートである。マイクロプロセッサ（ＭＰＵ）２１は所定の条件例えば集合玄関機からの呼び出し信号により、映像回路２２を起動させる場合にオン制御信号をスイッチング電源回路１３に出力し（Ｓ１１）、スイッチング電源回路１３は動作状態となり、内部回路２０に駆動電圧を供給する。そして、マイクロプロセッサ（ＭＰＵ）２１は分圧回路１５を介してスイッチング電源回路１３の１次側の電圧Ｖi1，Ｖi2を取り込み（Ｓ１２）、電圧Ｖi1が図２の何れの区分に属するかを判定する（Ｓ１３）。電圧Ｖi1が図２の何れの区分に属するかが分かると、その区分に対応した制限電流Ｉrを設定する（Ｓ１４）。更に、スイッチング電源回路１３の入力電流Ｉｉを、
Ｉｉ＝（Ｖi2−Ｖi1）／Ｒ1
により求める。
【００１３】
マイクロプロセッサ（ＭＰＵ）２１は、その入力電流Ｉｉと制限電流Ｉrとを対比して、入力電流Ｉｉ≧制限電流Ｉrである場合には過電流が流れたとして、オフ制御信号を出力してスイッチング電源回路１３の駆動を停止させる（Ｓ１８）。また、入力電流Ｉｉ≧制限電流Ｉrでない、即ち入力電流Ｉｉ＜制限電流Ｉrである場合には許容範囲内の電流が流れているとしてオフ制御信号を出力せずに、内部回路２０の動作を継続させる。但し、この内部回路２０の例では所定時間映像表示をさせればよいので、その所定時間（例えば３分間）が経過したかどうかを判断し（Ｓ１７）、所定時間が経過するとオフ制御信号を出力してスイッチング電源回路１３の駆動を停止させる（Ｓ１８）。
【００１４】
なお、上述の実施形態においては、入力電圧と制限電流との関係をテーブル化した例について説明したが、本発明はそのような例に限定されるものではなく、例えば関数式で表すようにしてもよい。また、スイッチング電源回路１３が定常的にオフ状態にあるものの場合について説明したが、定常的にオン状態にあるものであってもよい。更に、直流電源回路を内蔵した電子機器の例としてインターフォンの例について説明したが、他の電子機器においても同様に適用される。
【図面の簡単な説明】
【００１５】
【図１】本発明の実施形態１に係る直流電源回路及びこの直流電源回路を内蔵したインターフォンの一部の構成を示したブロック図である。
【図２】入力電圧の区分と制限電流との関連を示したテーブルである。
【図３】図１の電流制限回路の動作過程を示したフローチャートである。
【符号の説明】
【００１６】
１０  トランス、１１  整流回路、１２  フィルタ、１３  スイッチング電源回路、１４  スイッチング電源回路、１５  分圧回路、２０  内部回路、２１  マイクロプロセッサ、２１ａ  メモリ、２２  映像回路、２３  ＬＣＤパネル、３０  内部回路、３１  マイクロプロセッサ、３２  音声回路、３３  マイクロフォン、３４  スピーカ、４１  火災等検知回路、４２  移報回路。
【図１】
0004224788.tif 000002
【図２】
0004224788.tif 000003
【図３】
0004224788.tif 000004